(57)【特許請求の範囲】
【請求項１】
水道水が移動する流路が形成されたシャワー器胴体の上部に一体で形成されて、この流路と連結される挿入部が貫通形成されて、挿入部の一面には水道水の水圧を上昇させる傾斜誘導部が形成されて、この挿入部の先端部には螺糸山が形成される結合部が形成されたシャワー器ヘッドと、
前記シャワー器ヘッドの挿入部に挿入固定されて、その中央に締結孔が貫通形成されて、水道水が流入されるように前記流路と連結される流入口と、該流入口から流入される水道水の溶存酸素に圧力抵抗が発生される圧力抵抗部と、水道水の溶存酸素に摩擦抵抗が起きるように前記圧力抵抗部と連結される摩擦誘導部及びこの摩擦誘導部の下側端部に水道水が流出される流出口でなされて、前記圧力抵抗部の圧力抵抗と前記摩擦誘導部の摩擦抵抗によって水道水の溶存酸素をマイクロメーターの大きさの超微細気泡でなされたマイクロバブルを生成して、水道水の浄化及び殺菌効能を極大化するバブルノズルと、及び、
前記シャワー器ヘッドの結合部に水密パッキングが圧着されたまま結合されて、この結合部の間に水密パッキングが圧着されるように具備されて、前記バブルノズルの締結孔と締結されるネジ穴が形成されてスクリューによってバブルノズルに固定されて、スクリューの外面を囲む締結カバーが具備されて、このバブルノズルによって発生されたマイクロバブルが含まれた水道水を噴射する複数の噴射口が形成された噴射ノズルを含んで、
前記噴射ノズルの噴射口は、この噴射ノズルの中心部側に複数形成される第１噴射口と、第１噴射口と所定間隔離隔されるように複数形成される第２噴射口を含んで構成されて、前記第１噴射口の内側部に形成される内側隔壁によって前記バブルノズルを通じて流出される前記マイクロバブルが含まれた水道水を逆流させて２次マイクロバブルが生成されることを特徴とするマイクロバブル発生シャワー器。
【請求項２】
前記流入口の直径が０．７mm〜１．２mmの直径で形成されることを特徴とする請求項１に記載のマイクロバブル発生シャワー器。
【請求項３】
前記流入口は前記バブルノズルに１０個形成されることを特徴とする請求項１に記載のマイクロバブル発生シャワー器。
【発明の詳細な説明】
【発明の詳細な説明】
【０００１】
〔技術分野〕
本発明は、マイクロバブルシャワー器に関するものである。より詳細には、水道水の水圧を利用して水道水に含まれた溶存酸素をマイクロメーターの大きさで超微細気泡化がなされるようにして、マイクロバブルを生成するバブルノズルを設置することで、マイクロバブルによって水道水の浄化及び殺菌効能を向上させるバブルノズルが設置されて肌細菌を殺菌させて、陰イオンを発生するマイクロバブルシャワー器に関するものである。
【０００２】
〔背景技術〕
一般に、シャワー器は内部に水路が形成されて、水路と連通される多数個の吐出口が貫通形成されて、その基端部が水を供給する給水ラインに連結されるものであり、使用者がシャワー器を把持して身体の所望の部位を、シャワーを浴びることができるようにする器具である。
【０００３】
ところが、従来のシャワー器は、長期間使用時にその内部の水路に有害細菌が繁殖するようになって、シャワー時に有害細菌が水と共に身体と直接接触による肌健康などに害を被れる問題点がある。
【０００４】
特に、肌が敏感な人の場合には有害細菌によってひどい場合かゆみ症状やアレルギー、アトピーなど各種皮膚病を誘発することがきる問題点がある。
【０００５】
図１及び図２は、従来技術による殺菌機能が具備されたシャワー器を示した図面である。
【０００６】
図示したところのように、従来技術によるシャワー器１００は、韓国登録実用新案第０１３９８６４号に載せられたものであり、シャワー水が噴出される噴出網１１２が具備されたシャワー器ヘッド部１１０、内部にシャワー器ヘッド部１１０と連通される導管１０２が形成されたシャワー器取っ手部１２０、シャワー器取っ手部１２０の導管１０２内にシャワー水の通路を横切って設置されて、上下面に通水口１３２が形成されたフィルターケーシング１３０、フィルターケーシング１３０の中に極細銅繊維束１４０が挿入されて、銅繊維束１４０の上下側にはそれぞれ炭素繊維網１５０が設置された流入側フィルター手段１６０及びシャワー器ヘッド部１１０内の噴出網１１２後段にシャワー水の通路を横切って設置されて、上下面に通水口１３２が形成されたフィルターケーシング１３０のうちには極細銅繊維束１４０が挿入されて、銅繊維束１４０の上下側にはそれぞれ炭素繊維網１５０が設置されてなされた噴出側フィルター手段１７０を含んで構成される。
【０００７】
このように構成された従来技術によるシャワー器１００は、シャワー器１００の前端に殺菌フィルターのような流入側フィルター手段１５０及び噴出側フィルター手段１６０を設置して有害細菌の繁殖を防止して、水の殺菌効果を優秀に維持するものであるが、このような殺菌フィルターを別に設置するとしても、殺菌フィルターの寿命が長続きすることができないために、周期的に入れ替え設置しなければならないなどの煩わしさがあるだけではなく、殺菌フィルターの入れ替え設置費用のようなコストもたくさん必要となる問題点がある。
【０００８】
また、図２に示されたところのように、従来技術によるシャワー器は、登録実用新案第０３３６３９６号に載せられたものとして、内部に水路２１０が形成されて、この水路２１０の内部に具備されて多数個の気孔２２２が形成されるように銀をブロック形状のフォーム形態で製作した銀フォーム２２０、水路２１０を通過する水が銀フォーム２２０によって殺菌されるシャワー器ヘッド２３０及び水路２１０と連通される吐出口２２０が貫通形成されて、その基端部が水を供給する給水ライン２３０に連結されるようになされたシャワー器２００を含んで構成される。
【０００９】
このように構成された従来技術によるシャワー器２００は、銀を主成分にして殺菌フィルターの機能をする銀フォーム２２０の寿命をさらに延長されて使用するのに簡便で、設置費用などを節減するために発明されたものであるが、これもまた、図１に載せられた従来技術のシャワー器と同じく単純に寿命だけ延ばしただけで、銀フォーム２２０の内部に水が通過する時に発生する各種異物などが積もりながら殺菌の効果がなされることができないことは勿論、この異物によってむしろ細菌が増殖するようになって結局、銀フォーム２２０も一定時間が経てば入れ替らなければならない問題点があった。
【００１０】
そして、殺菌フィルターの機能をする銀フォーム２２０の主成分が銀を主成分にしているために、銀フォーム２２０の価格が一般的な殺菌フィルターより高価であるしかなくて、入れ替え費用が上昇して非経済的な問題点があった。
【００１１】
〔発明の開示〕
〔技術的課題〕
このような問題点を解決するために本発明は、水道水に含まれた溶存酸素をマイクロメーター大きさの超微細気泡化して、マイクロバブルを生成するバブルノズル及びこのマイクロバブルが含まれた水道水を噴射する噴射ノズルが設置されたマイクロバブルシャワー器を提供することにその目的がある。
【００１２】
また、本発明は、水道水の自体圧力変化で発生する摩擦抵抗及び圧力抵抗を通じて水道水に含まれた溶存酸素が渦流現象で膨脹してマイクロメーター大きさで超微細気泡化がなされて、マイクロバブルを発生させるバブルノズルを通じて水道水の浄化効能及び殺菌効能を極大化することで、水道水に含まれた有害細菌によってかゆみ症状やアレルギー、アトピーなど各種皮膚病を防止するのにその目的がある。
【００１３】
〔技術的解決手段〕
このような目的を達成するために本発明は、水道水が移動する流路が形成されたシャワー器胴体の上部に一体で形成されて、この流路と連結される挿入部が貫通形成されて、挿入部の一面には水道水の水圧を上昇させる傾斜誘導部が形成されて、この挿入部の先端部には螺糸山が形成される結合部が形成されたシャワー器ヘッドと、該シャワー器ヘッドの挿入部に挿入固定されて、その中央に締結孔が貫通形成されて、水道水が流入されるように前記流路と連結される流入口と、該流入口から流入される水道水の溶存酸素に圧力抵抗が発生される圧力抵抗部と、水道水の溶存酸素に摩擦抵抗が起きるように前記圧力抵抗部と連結される摩擦誘導部及びこの摩擦誘導部の下側端部に水道水が流出される流出口でなされて前記圧力抵抗部の圧力抵抗と前記摩擦誘導部の摩擦抵抗によって水道水の溶存酸素をマイクロメーターの大きさの超微細気泡でなされたマイクロバブルを生成して水道水の浄化及び殺菌効能を極大化するバブルノズルと、及び前記シャワー器ヘッドの結合部に水密パッキングが圧着されたまま結合されて、前記バブルノズルの締結孔と締結されるネジ穴が形成されて、スクリューによってバブルノズルに固定されて、スクリューの外面を囲む締結カバーが具備されて、このバブルノズルによって発生されたマイクロバブルが含まれた水道水を噴射する複数の噴射口が形成された噴射ノズルを含んで、前記噴射ノズルの噴射口はこの噴射ノズルの中心部側に複数形成される第１噴射口と、第１噴射口と所定間隔離隔されるように複数形成される第２噴射口を含んで構成されて、前記第１噴射口の内側部に形成される内側隔壁によって前記バブルノズルを通じて流出される前記マイクロバブルが含まれた水道水を逆流させて２次マイクロバブルが生成されることを特徴とするマイクロバブル発生シャワー器を提供する。
【００１４】
また、本発明は、前記流入口の直径が０．７mm〜１．２mmの直径で形成されて、前記バブルノズルに１０個形成されることを特徴とするマイクロバブルシャワー器を提供する。
【００１５】
〔有利な効果〕
以上で説明したところのように本発明によると、水道水の自体圧力変化で発生する摩擦抵抗及び圧力抵抗を通じて水道水に含まれた溶存酸素が渦流現象で膨脹してマイクロメーター大きさで超微細気泡化がなされて、マイクロバブルを発生させるバブルノズルを通じて水道水の浄化効能及び殺菌効能を極大化することで、水道水に含まれた有害細菌によってかゆみ症状やアレルギー、アトピーなど各種皮膚病を防止することができる効果がある。
【００１６】
また、本発明によると、水道水に含まれた溶存酸素をマイクロメーター大きさの超微細気泡化してマイクロバブルを生成するバブルノズルを提供することで、半永久的に使用可能で入れ替え及び設置費用を著しく節減することができる効果がある。
【００１７】
〔図面の簡単な説明〕
図１は従来技術による殺菌フィルターが具備されたシャワー器を示した図面である。
【００１８】
図２は従来技術による殺菌機能が具備されたシャワー器を示した図面である。
【００１９】
図３は本発明の望ましい実施例によるマイクロバブルシャワー器を示した分解斜視図である。
【００２０】
図４は本発明の望ましい実施例によるマイクロバブルシャワー器を示した結合断面図である。
【００２１】
図５は本発明の望ましい実施例によるマイクロバブルシャワー器のバブルノズルを示した図面である。
【００２２】
図６は本発明の望ましい実施例によるマイクロバブルシャワー器の噴射ノズルを示した図面である。
【００２３】
図７ないし図９は本発明の望ましい実施例によるマイクロバブルシャワー器を示した作動状態図である。
【００２４】
〔符号の説明〕
３００  マイクロバブルシャワー器
３１０  シャワー器胴体
３１２  流路
３１４  給水ライン
３２０  シャワー器ヘッド
３２２  挿入部
３２４  結合部
３２６  傾斜誘導部
３２８  螺糸山
３３０  バブルノズル
３３１  内壁
３３２  流入口
３３４  締結孔
３３５  圧力抵抗部
３３６  マイクロバブル発生部
３３７  摩擦誘導部
３３８  流出口
３４０  噴射ノズル
３４２  ネジ穴
３４４  締結カバー
３４５  内側隔壁
３４６  第１噴射口
３４８  第２噴射口
３５０  水密パッキング
〔発明を実施するための最良の様態〕
以下、本発明の望ましい実施例を添付された図面らを参照して詳しく説明する。まず、各図面の構成要素らに参照符号を付け加えることにおいて、等しい構成要素らに対してはたとえ他の図面上に表示されても可能な等しい符号を有するようにしていることに留意しなければならない。また、本発明を説明するにおいて、係わる公知構成または機能に対する具体的な説明が本発明の要旨を濁すことができると判断される場合にはその詳細な説明は略する。
【００２５】
図３は、本発明の望ましい実施例によるマイクロバブルシャワー器を示した分解斜視図であり、図４は、本発明の望ましい実施例によるマイクロバブルシャワー器を示した結合断面図である。また、図５及び図６は、本発明の望ましい実施例によるマイクロバブルシャワー器のバブルノズル及び噴射ノズルを示した図面である。
【００２６】
図示したところのように、本発明によるマイクロバブルシャワー器３００は水道水などが移動する流路３１２が形成されたシャワー器胴体３１０、シャワー器胴体３１０の上部に一体で形成されて流路３１２と連結される挿入部３２２が形成されたシャワー器ヘッド３２０、シャワー器ヘッド３２０と結合されて水道水に含まれた溶存酸素をマイクロメーター大きさの超微細気泡化してマイクロバブルを生成するバブルノズル３３０及びバブルノズル３３０を通じて生成されたマイクロバブルが含まれた水道水を所定の圧力で噴射する噴射ノズル３４０を含んで構成される。
【００２７】
シャワー器胴体３１０は、シャワーをするために外周面が把持可能になるように多様な形状で形成されて、内周面に下側から上側に貫通形成される中空の形状で水道水が移動する流路３１２が形成されて、下側端部にこの流路３１２を通じて水道水を供給する給水ライン３１４と連結されて、上側にはシャワー器ヘッド３２０が一体で具備される。
【００２８】
シャワー器ヘッド３２０は、シャワー器胴体３１０の上側に形成されて、流路３１２を通じて移動する水道水が排出されるように貫通形成される。このようなシャワー器ヘッド３２０は流路３１２と連結されて、バブルノズル３３０が安定的に固定されるように挿入される挿入部３２２が形成されて、この挿入部３２２の先端部、すなわち、シャワー器ヘッド３２０の一側先端部の内周面には噴射ノズル３４０が結合されるように結合部３２４が挿入部３２２と同一中心線上に形成される。
【００２９】
このようなシャワー器ヘッド３２０の下側、言い換えれば、挿入部３２２の下側にはシャワー器胴体３１０の流路３１２を通じて移動する水道水の圧力を上昇させる傾斜誘導部３２６が形成されるが、この傾斜誘導部３２６は流路３１２の直径が徐徐に小くなるように所定の角度で傾くように形成されてシャワー器胴体３１０の流路３１２を通じて移動する水道水の水圧がこの傾斜誘導部３２６を経ちながら上昇するように形成されるものである。
【００３０】
すなわち、シャワー器胴体３１０の上側端部に形成される流路３１２の直径よりシャワー器ヘッド３２０の挿入部３２２下側端部に形成される流路３１２の直径がより小さな直径でなされるが、傾斜誘導部３２６を通じて漸進的に小くなるようにすることで、シャワー器胴体３２０の流路３１２を通じて移動する水道水の水圧を上昇させて、後述するバブルノズル３３０及び噴射ノズル３４０でマイクロバブル発生がより円滑になされるようにして水道水内に含まれる溶存酸素の気泡化が活性化されて、水道水の浄化及び殺菌効能を極大化することができるようになるものである。
【００３１】
併せて、シャワー器ヘッド３２０の結合部３２４は、後述する噴射ノズル３４０が結合されてマイクロバブルシャワー器３００の水密力を強化するために内周面に螺糸山３２８を形成して、この螺糸山３２８と対応する螺糸山３２８を噴射ノズル３４０の外周面に形成してねじ締結されるようにすることが望ましいが、これに限定するものではない。
【００３２】
すなわち、図面に示さなかったが、結合部３２４の内周面に多数個形成される突起挿入溝(図示せず)を形成して、この突起挿入溝に挿入固定される固定突起(図示せず)を噴射ノズル３４０の外周面に形成して噴射ノズル３４０がシャワー器ヘッド３２０の結合部３２４に締り嵌めされるようにしても構わないであろう。
【００３３】
また、マイクロバブルシャワー器３００の水密力が上昇されるように所定の弾性力を有するゴム材質で製作される水密パッキング３５０がシャワー器ヘッド３２０と噴射ノズル３４０との間に具備されて、噴射ノズル３４０がシャワー器ヘッド３２０の結合部３２４に結合される時、この水密パッキング３５０が圧着されるように結合されることで、噴射ノズル３４０とシャワー器ヘッド３２０との間に発生する微細な隙間を塞いでマイクロバブルシャワー器３００の水密力を上昇するようにすることが望ましい。
【００３４】
バブルノズル３３０は、流路３１２を通じて移動する水道水に含まれた溶存酸素をマイクロメーター大きさで超微細気泡化させてマイクロバブルを生成して、このマイクロバブルによって水道水の浄化及び殺菌効能がなされるようにすることで、シャワー器ヘッド３２０挿入部３２２に挿入固定されて、その中央に後述する噴射ノズル３４０と締結される締結孔３３４が貫通形成される。
【００３５】
このようなバブルノズル３３０は、図５に示されたところのように、水道水がシャワー器ヘッド３２０の流路３１２を通じて流入される流入口３３２、該流入口３３２の端部に形成される圧力抵抗部３３５と摩擦誘導部３３７が形成されるマイクロバブル発生部３３６及びマイクロバブル発生部３３６の端部に形成される流出口３３８を含んで構成される。
流入口３３２は溶存酸素が含まれた水道水がシャワー器ヘッド３２０の傾斜誘導部３２６を経ちながら所定の水圧を有したまま流入されるように貫通形成されるものであり、マイクロバブルシャワー器３００に必要流量に応じて一個または複数形成されることが望ましいが、本発明では少なくとも１０個以上の流入口３３２が形成されることが望ましい。
【００３６】
また、流入口３３２は、その直径が０．７ｍｍ〜１．２ｍｍの直径で形成されて流入口３３２を通じて流入される水が速い流速を有するようにすることが望ましいが、本発明では１．０ｍｍの直径で形成することが望ましい。
【００３７】
マイクロバブル発生部３３６は、圧力抵抗部３３５の圧力抵抗と摩擦誘導部３３７の摩擦抵抗によって水道水に含まれている溶存酸素をマイクロメーター大きさで超微細気泡化がなされたマイクロバブルを生成するものであり、流入口３３２の一側端部に形成された内壁３３１から垂直するように延長形成されて流入口３３２から流入される水道水に圧力抵抗が発生されるようにする圧力抵抗部３３５と、流入口３３２と圧力抵抗部３３５を通じて流れる水道水に摩擦抵抗が発生されるようにこの圧力抵抗部３３５と連結されて、流入口３３２と同一中心を有する摩擦誘導部３３７を含んで構成される。
【００３８】
また、マイクロバブル発生部３３６の先端部、言い換えれば、摩擦誘導部３３７の先端部に流入口３３２を通じて流入される水道水が流出される流出口３３８が形成されて、流出口３３８は流入口３３２の直径:流出口３３８の直径に対するの割合が１:２．４以上の割合で流入口３３２の直径より大きく流出口３３８の直径で形成されて、マイクロバブル発生部３３６の長さも流出口３３８の直径:マイクロバブル発生部３３６の長さに対する割合が１:４以上の割合で長く形成されて、水道水に含まれた溶存酸素が流入口３３２と摩擦誘導部３３７との間で所定の摩擦抵抗で渦流現象が起きるようにする。
【００３９】
ここで、圧力抵抗部３３５は、水道水が流入口３３２の内壁３３１側に流れながら圧力抵抗が発生するようにして流入口３３２の中央側に流れる水と内壁３３１側に流れる水との間に圧力抵抗が起きるように形成されるものである。
【００４０】
このようなマイクロバブル発生部３３６は、流入口３３２を通じて流入された水が流入口３３２の内壁３３１側を通じて流れながる、摩擦誘導部３３７によって発生する摩擦抵抗によって屈折されて、その流速が遅くなった水道水が、流入口３３２の中央側を通じて流れる速い流速の単一方向性を有した水道水の圧力と反対方向に作用する圧力抵抗によって急激な乱流が発生して膨張されて、流出口３３８を通じて流出される前まで複数の乱流層を形成した状態を維持するようにして流入口３３２を通じて流入される水道水が圧力抵抗部３３５と摩擦誘導部３３７を通じて数回膨張が起きるようにすることで、水道水に含まれた溶存酸素の気泡化現象が数回発生されるように誘導して、この溶存酸素がマイクロメーター大きさで超微細気泡化がなされて、マイクロバブルが生成されるようにしたものである。
【００４１】
これによって、マイクロバブルを含む水道水は、一般な水道水よりその殺菌及び浄化効能が極大化されるものである。
【００４２】
噴射ノズル３４０は、バブルノズル３３０を通じて発生されたマイクロバブルを衝撃などで剥離させて、バブルノズル３３０を通じて生成されたマイクロバブルの２次超微細気泡化が進行されるように構成されて、所定の圧力で噴射して身体の所望の部位に水道水を供給するものである。
【００４３】
すなわち、本発明は、バブルノズル３３０によって水道水を、マイクロバブルを発生させて、噴射ノズル３４０によって２次マイクロバブルを生成することで、水道水に含まれた溶存酸素をより超微細気泡化して、水道水の浄化効能及び殺菌効能をより極大化するものである。
【００４４】
このような噴射ノズル３４０は、図６に示されたところのように、外周面にシャワー器ヘッド３２０の結合部３２４と対応する螺糸山３２８が形成されて、シャワー器ヘッド３２０とねじ締結時に結合部３２４に具備される水密パッキング３５０を圧着しながら締結されて、その中央部にバブルノズル３３０に形成された締結孔３３４と同一中心線上に位置するネジ穴３４２が形成されて、スクリューなどによって噴射ノズル３４０とバブルノズル３３０が固定されるようにする。併せて、スクリューなどの腐食を防止するために噴射ノズル３４０にはスクリューの外面を囲む締結カバー３４４が具備されることが望ましい。
【００４５】
また、噴射ノズル３４０には、水道水を所定の圧力で噴射する噴射口が形成されるが、この噴射口は等しい直径で形成されるが、お互いに異なる長さで形成されて、その長さが短くて、噴射ノズル３４０の中心側と近い位置に複数形成される第１噴射口３４６と、この第１噴射口３４６と噴射ノズル３４０の中心側から所定間隔離隔されるように形成されるが、その長さが第１噴射口３４６より長く形成される第２噴射口３４８を含んで構成される。
【００４６】
このように構成された噴射ノズル３４０は第１噴射口３４６の内側部に延長形成される内側隔壁３４５を通じてバブルノズル３３０で生成されたマイクロバブルを含む水道水が流出されれば、噴射ノズル３４０の内側隔壁３４５によって逆流が発生されるようにして、２次マイクロバブルの発生を誘導して、噴射口を通じて摩擦抵抗を発生するようにして、マイクロバブルでなされた水道水が噴射されるようにするものである。
【００４７】
図７ないし図９は、本発明の望ましい実施例によるマイクロバブルシャワー器を示した作動状態図である。
【００４８】
図示したところのように、本発明によるマイクロバブルシャワー器３００は、シャワー器胴体３１０と連結される給水ライン３１４を通じて水道水が供給されて、供給された水道水はシャワー器胴体３１０の流路３１２を通じてシャワー器ヘッド３２０側に移動する。そして、図７に示されたところのように、シャワー器ヘッド側の端部、すなわち、挿入部３２２の下部に形成された傾斜誘導部３２６によって水道水の水圧が上昇されたままシャワー器ヘッド３２０に流入されて、流入された水道水はバブルノズル３３０の流入口３３２を通じて流入されて１次マイクロバブルの発生が進行される。
【００４９】
バブルノズル３３０による１次マイクロバブルの発生は、図８に示されたところのように、シャワー器ヘッドと結合するバブルノズル３３０の流入口３３２を通じて流入される水道水が流入口３３２の下側端部と圧力抵抗部３３５との間で急激な圧力変化による圧力抵抗、摩擦抵抗が発生して水道水に含まれた溶存酸素の膨張及び乱流によって水道水内に含まれている溶存酸素からマイクロバブルを生成するようになって、この乱流を通過した溶存酸素は、流入口３３２とマイクロバブル発生部３３６の中央側を通過する水道水の直進性と流入口３３２の内壁３３１、圧力抵抗部３３５及び摩擦誘導部３３７側を通過する水道水の間に作用する圧力抵抗及び摩擦抵抗によって流出口３３８を通じて流出される前まで連続的にマイクロバブルを生成するようになる。
【００５０】
また、図９に示されたところのように、バブルノズル３３０を通じて発生されたマイクロバブルを含む水道水は、噴射ノズル３４０を通じて再びマイクロバブル発生が進行されると共に第１噴射口３４６及び第２噴射口３４８でなされた複数の噴射口を通じて身体の所望の部位に供給してシャワーができるように構成されたものである。
【００５１】
ここで、バブルノズル３３０の流出口３３８を通じて１次発生されたマイクロメーター大きさのバブルを含む水道水が噴射ノズル３４０の内側隔壁３４５にぶつかりながら所定の圧力を維持したまま逆流が発生するようになって、これと同時に水道水に含まれた溶存酸素が膨脹して、マイクロメートル大きさで、超微細気泡化でなされた２次マイクロバブル発生が進行されながら第１噴射口３４６及び第２噴射口３４８を通じて排出されるものである。
【００５２】
このように構成された本発明は、水道水の自体圧力変化で発生する摩擦抵抗及び圧力抵抗を通じて水道水に含まれた溶存酸素が渦流現象で膨脹してマイクロメーター大きさで超微細気泡化がなされて、マイクロバブルを発生させるバブルノズル３３０を通じて水道水の浄化効能及び殺菌効能を極大化することで、水道水に含まれた有害細菌によってかゆみ症状やアレルギー、アトピーなど各種皮膚病を防止することができるし、バブルノズル３３０を半永久的に使用可能で入れ替え及び設置費用を著しく節減することができるものである。
【００５３】
以上の説明は、本発明の技術思想を例示的に説明したことに過ぎないものであり、本発明が属する技術分野で通常の知識を有した者なら本発明の本質的な特性から脱しない範囲で多様な修正及び変形が可能であろう。よって、本発明に開示された実施例は、本発明の技術思想を限定するためではなく説明するためのものであり、このような実施例によって本発明の技術思想の範囲が限定されるものではない。本発明の保護範囲は、下の特許請求の範囲によって解釈されなければならないし、それと同等な範囲内にあるすべての技術思想は、本発明の権利範囲に含まれるものとして解釈されなければならないであろう。
【図面の簡単な説明】
【００５４】
【図１】従来技術による殺菌フィルターが具備されたシャワー器を示した図面である。
【図２】従来技術による殺菌機能が具備されたシャワー器を示した図面である。
【図３】本発明の望ましい実施例によるマイクロバブルシャワー器を示した分解斜視図である。
【図４】本発明の望ましい実施例によるマイクロバブルシャワー器を示した結合断面図である。
【図５】本発明の望ましい実施例によるマイクロバブルシャワー器のバブルノズルを示した図面である。
【図６】本発明の望ましい実施例によるマイクロバブルシャワー器の噴射ノズルを示した図面である。
【図７】本発明の望ましい実施例によるマイクロバブルシャワー器を示した作動状態図である。
【図８】本発明の望ましい実施例によるマイクロバブルシャワー器を示した作動状態図である。
【図９】本発明の望ましい実施例によるマイクロバブルシャワー器を示した作動状態図である。
【図１】
0005307293.tif 000002
【図２】
0005307293.tif 000003
【図３】
0005307293.tif 000004
【図４】
0005307293.tif 000005
【図５】
0005307293.tif 000006
【図６】
0005307293.tif 000007
【図７】
0005307293.tif 000008
【図８】
0005307293.tif 000009
【図９】
0005307293.tif 000010